(57)【要約】【課題】エンジン本体の一側の側壁に上下に並ぶ配置で取り付けるオイルクーラとオイルフィルタとの間のオイル供給通路を短くして、通路抵抗の軽減化を図りつつ、オイル落とし通路のオイル供給通路との干渉を回避できるエンジンのオイル落とし構造を提供する。【解決手段】エンジン本体の側壁に形成するオイル落とし通路４０がオイルクーラとオイルフィルタの間のオイル供給通路と干渉しないよう、上部オイル落とし通路４１を略ストレートに形成し、オイルクーラ取付け座部１３を内側に空間４２を形成し該空間４２がオイルクーラ１０を取り付けることにより閉塞される枠状に形成して、該空間４２に位置をずらせて上部オイル落とし通路４１と下部オイル落とし通路４３を連通させ、下部オイル落とし通路４３を、ブロック接合面に形成された開放溝４４を介してオイルパンへ向け下方へ開放する。【選択図】図４
2010031763.tif 000002
【特許請求の範囲】
【請求項１】
エンジン本体のクランク軸方向と直交する幅方向の一側の側壁に、潤滑用のオイルを濾過するオイルフィルタと、該オイルフィルタで濾過したオイルを冷却水で冷却するオイルクーラとを取り付けるエンジンのオイル落とし構造であって、
前記エンジン本体の前記一側の側壁の上部に、前記エンジン本体の上面から下向きに延びる上部オイル落とし通路が設けられ、
前記エンジン本体の前記一側の側壁の、前記上部オイル落とし通路の下方で該上部オイル落とし通路に対し該上部オイル落とし通路の軸線方向に上下に重なる位置に、前記オイルフィルタを取り付けるオイルフィルタ取付け座部と、前記オイルクーラを取り付けるオイルクーラ取付け座部とが、オイルクーラ取付け座部が上でオイルフィルタ取付け座部が下となる配置で上下に並んで設けられるとともに、該一側の側壁に前記オイルフィルタ取付け座部から前記オイルクーラ取付け座部に至るオイル供給通路が設けられ、
前記オイルクーラ取付け座部が、オイル出入用の通路部分を有するボス部と一体となって内側に空間を形成し該空間が前記オイルクーラを取り付けることにより閉塞される枠状に形成され、
該空間のクランク軸方向における前後方向一側に前記上部オイル落とし通路が連通し、
該空間のクランク軸方向における他側に、前記上部オイル落とし通路を通って落ちてきたオイルを更に下方へ落とす下部オイル落とし通路が連通していることを特徴とするエンジンのオイル落とし構造。
【請求項２】
前記オイルフィルタ取付け座部から前記オイルクーラ取付け座部に至るオイル供給通路が、前記上部オイル落とし通路の下方で該上部オイル落とし通路に対し該上部オイル落とし通路の軸線方向に上下に重なる位置に形成されていることを特徴とする請求項１記載のエンジンのオイル落とし構造。
【請求項３】
前記エンジン本体が、シリンダボア部とクランク軸支持用の上側軸受部とを有するアッパブロックと、クランク軸支持用の下側軸受部を有するロアブロックとを備え、
前記下部オイル落とし通路の上部が、前記空間の他側に連通する位置から下方へ延び、前記ロアブロックの前記アッパブロックとの接合面に形成された開放溝を介して、前記オイル供給通路と干渉しない位置で下方に開口していることを特徴とする請求項２記載のエンジンのオイル落とし構造。
【発明の詳細な説明】
【技術分野】
【０００１】
本発明は、エンジン本体の側壁にオイルフィルタとオイルクーラとを取り付けるエンジンのオイル落とし構造に関する。
【背景技術】
【０００２】
一般に、エンジンのクランク軸や動弁系等の各部位に供給する潤滑用のオイルは、オイルポンプでオイルパンから汲み上げ、オイルフィルタで濾過した後、水冷式あるいは空冷式のオイルクーラでオイル温度を下げて供給している。そして、このようなオイルポンプ、オイルフィルタ、オイルクーラ等を備えたエンジンの潤滑系において、オイルポンプは、通常、エンジン本体のクランク軸方向の一端側である前側に配置し、エンジンのクランク軸によってベルト駆動するようにしている。そして、その場合に、オイルフィルタとオイルクーラは、スペースの関係上、エンジン本体の側面に、例えば横並びとなる配置で取り付けられている（例えば、特許文献１参照。）。
【特許文献１】特開２００７−１７０３６１号公報
【発明の開示】
【発明が解決しようとする課題】
【０００３】
このように、エンジン潤滑系のオイルポンプをエンジン本体の前側に配置し、オイルフィルタとオイルクーラをエンジン本体の側面に取り付ける場合に、オイルフィルタからオイルクーラに至るオイル供給通路と、オイルポンプからオイルフィルタに至るオイル供給通路の少なくとも一部は、エンジン本体に形成するのが普通であるが、それらオイル供給通路は、通路抵抗を小さくし、ポンプロスを抑えて、燃費改善を図るためには、できるだけ短い通路であることが要求される。そのため、オイルフィルタやオイルクーラは、できるだけエンジンの前側に寄せた配置とするのが望ましい。そして、そのようにオイルフィルタとオイルクーラをエンジンの前側に寄せた配置とするための１つの形態として、オイルフィルタとオイルクーラをエンジン本体の一側の側壁の前端寄りの位置に、オイルクーラが上でオイルフィルタが下となって上下に並ぶ配置で取り付けることが、例えばウォータポンプ等を取り付けるスペースとの兼ね合い上、有効となる場合がある。
【０００４】
ところが、オイルフィルタやオイルクーラを取り付けるエンジン本体というのは、通常、シリンダブロックの部分で、このシリンダブロックの側壁には、エンジンの動弁系等の潤滑に使用したオイルを下方のオイルパンに戻すためにオイル落とし通路が、例えば隣接するシリンダボア部の間の軸受部の外側となる配置で、下向きに形成され、しかも、鋳抜き等で略ストレートな通路として形成されるのが普通で、オイルフィルタとオイルクーラをエンジン本体の一側の側壁の前端寄りの位置に上下に並ぶ配置で取り付け、オイル供給通路を短くしようとした場合に、そのオイル供給通路、特にオイルフィルタからオイルクーラに至るオイル供給通路と、オイル落とし通路が干渉する場合があり、そうした場合、干渉をさけるようオイル供給通路を迂回させたのでは、オイル供給通路が長くなり、通路抵抗が大きくなってしまう。
【０００５】
本発明は、エンジン本体の一側の側壁に上下に並ぶ配置で取り付けるオイルクーラとオイルフィルタとの間のオイル供給通路を短くして、通路抵抗の軽減化を図りつつ、オイル落とし通路のオイル供給通路との干渉を回避できるエンジンのオイル落とし構造を提供することを目的とする。
【課題を解決するための手段】
【０００６】
本発明のエンジンのオイル落とし構造は、エンジン本体のクランク軸方向と直交する幅方向の一側の側壁に、潤滑用のオイルを濾過するオイルフィルタと、該オイルフィルタで濾過したオイルを冷却水で冷却するオイルクーラとを取り付けるエンジンのオイル落とし構造であって、前記エンジン本体の前記一側の側壁の上部に、前記エンジン本体の上面から下向きに延びる上部オイル落とし通路が設けられ、前記エンジン本体の前記一側の側壁の、前記上部オイル落とし通路の下方で該上部オイル落とし通路に対し該上部オイル落とし通路の軸線方向に上下に重なる位置に、前記オイルフィルタを取り付けるオイルフィルタ取付け座部と、前記オイルクーラを取り付けるオイルクーラ取付け座部とが、オイルクーラ取付け座部が上でオイルフィルタ取付け座部が下となる配置で上下に並んで設けられるとともに、該一側の側壁に前記オイルフィルタ取付け座部から前記オイルクーラ取付け座部に至るオイル供給通路が設けられ、前記オイルクーラ取付け座部が、オイル出入用の通路部分を有するボス部と一体となって内側に空間を形成し該空間が前記オイルクーラを取り付けることにより閉塞される枠状に形成され、該空間のクランク軸方向における前後方向一側に前記上部オイル落とし通路が連通し、該空間のクランク軸方向における他側に、前記上部オイル落とし通路を通って落ちてきたオイルを更に下方へ落とす下部オイル落とし通路が連通していることを特徴とする。
【０００７】
このようにして、枠状にしたオイルクーラ取付け座部の内側の空間を利用することで、オイルフィルタからオイルクーラに至るオイル供給通路と干渉しないようオイル落とし通路をレイアウトでき、それにより、エンジン本体の一側の側壁に上下に並ぶ配置で取り付けるオイルクーラとオイルフィルタとの間のオイル供給通路を短くして、通路抵抗の軽減を図りつつ、オイル落とし通路のオイル供給通路との干渉を回避できる。また、このオイル落とし構造によれば、オイルクーラ取付け座部の内側の空間の前後方向一側に上部オイル落とし通路が連通し、該空間の他側に下部オイル落とし通路が連通していて、上部オイル落とし通路から落ちてきたオイルが空間内で減速されることにより、下部オイル落とし通路を通って下方のオイル溜め（オイルパン）に落ちる際の泡生成が抑制される。
【０００８】
このオイル落とし構造は、前記オイルフィルタ取付け座部から前記オイルクーラ取付け座部に至るオイル供給通路が、前記上部オイル落とし通路の下方で該上部オイル落とし通路に対し該上部オイル落とし通路の軸線方向に上下に重なる位置に形成されているものであってよい。
【０００９】
このようにオイルフィルタ取付け座部からオイルクーラ取付け座部に至るオイル供給通路が上部オイル落とし通路と上下に重なる位置に形成されている場合に、枠状にしたオイルクーラ取付け座部の内側の空間を利用することで、オイルフィルタからオイルクーラに至るオイル供給通路と干渉しないようオイル落とし通路をレイアウトでき、それにより、エンジン本体の一側の側壁に上下に並ぶ配置で取り付けるオイルクーラとオイルフィルタとの間のオイル供給通路を短くして、通路抵抗の軽減を図りつつ、オイル落とし通路のオイル供給通路との干渉を回避できる。また、このオイル落とし構造によれば、オイルクーラ取付け座部の内側の空間の前後方向一側に上部オイル落とし通路が連通し、該空間の他側に下部オイル落とし通路が連通していて、上部オイル落とし通路から落ちてきたオイルが空間内で減速されることにより、下部オイル落とし通路を通って下方のオイル溜め（オイルパン）に落ちる際の泡生成が抑制される。
【００１０】
また、このオイル落とし構造は、前記エンジン本体が、シリンダボア部とクランク軸支持用の上側軸受部とを有するアッパブロックと、クランク軸支持用の下側軸受部を有するロアブロックとを備え、前記下部オイル落とし通路の上部が、前記空間の他側に連通する位置から下方へ延び、前記ロアブロックの前記アッパブロックとの接合面に形成された開放溝を介して、前記オイル供給通路と干渉しない位置で下方に開口しているものであってよい。
【００１１】
ブロック別体構造の場合に、このようにロアブロックのアッパブロックとの接合面の開放溝を利用して、下部オイル落とし通路を簡便にレイアウトできる。
【発明の効果】
【００１２】
このように、本発明のエンジンのオイル落とし構造によれば、エンジン本体の一側の側壁に上下に並ぶ配置で取り付けるオイルクーラとオイルフィルタとの間のオイル供給通路を短くして、通路抵抗の軽減化を図りつつ、オイル落とし通路のオイル供給通路との干渉を回避でき、また、オイルが下方のオイル溜めに落ちる際の泡生成を抑制できる。
【発明を実施するための最良の形態】
【００１３】
以下、本発明の実施形態を図面に基づいて説明する。
図１〜図６は本発明の実施形態の一例を示している。図１はエンジンブロックのオイルクーラ及びオイルフィルタを取り付けた状態の側面図、図２はエンジンブロックのオイルクーラ及びオイルフィルタを取り付けた状態の図１のＡ−Ａ断面で示す断面図、図３はエンジンブロックの図１のＢ−Ｂ断面で示す断面図、図４はエンジンブロックの図２のＣ−Ｃ断面で示す断面図、図５はエンジンブロックのオイルクーラ及びオイルフィルタを取り外した状態の側面図、図６はロアブロックの平面図である。
【００１４】
この実施形態のエンジンは４気筒エンジンで、エンジン本体は、ボア部１〜４とクランク軸支持用の上側軸受部５とを有するシリンダブロック（アッパブロック）６と、クランク軸支持用の下側軸受部７を有するロアブロック８を備えている。
【００１５】
そして、このエンジンは、クランク軸（図示せず）や動弁系等の各部位に潤滑用のオイルを供給するため、オイルパン（図示せず）からオイルを汲み上げるオイルポンプ（図示せず）と、汲み上げたオイルを濾過するオイルフィルタ９と、濾過したオイルを冷却水で冷却するオイルクーラ１０等からなる潤滑系を備えている。
【００１６】
不図示のオイルポンプは、シリンダブロック６とロアブロック８とからなるエンジンブロック１１のクランク軸方向の一端側である前側に配置され、エンジンのクランク軸によってチェーン駆動される。
【００１７】
オイルフィルタ９とオイルクーラ１０は、シリンダブロック６とロアブロック８とからなるエンジンブロック１１の一側である左側（正面から見て左側）の側壁すなわち左側壁の前端寄りである第１気筒のボア部から第２気筒のボア部にかかるエリア上に、オイルクーラ１０が上でオイルフィルタ８が下となって上下に並ぶ配置で取り付けられる。
【００１８】
そのため、シリンダブロック６の左側壁１２の第１気筒のボア部１から第２気筒のボア部２にかかるエリア上に、オイルクーラ１０を取り付けるオイルクーラ取付け座部１３が設けられ、そのオイルクーラ取付け座部１３の下に並ぶ配置で、ロアブロックの左側壁１４に、オイルフィルタ９を取り付けるオイルフィルタ取付け座部１５が設けられている。
【００１９】
オイルクーラ１０は、オイルクーラ取付け座部１３に直接取り付けられ、オイルフィルタ９は、オイルフィルタ取付け座部１４にオイルフィルタブラケット１６を介して取り付けられる。
【００２０】
オイルフィルタブラケット１６には、オイルフィルタ９へオイルを送り込むフィルタ入口通路１７と、オイルフィルタからオイルを送り出すフィルタ出口通路１８とが設けられている。そして、オイルフィルタ取付け座部１５には、オイルフィルタブラケット１６のフィルタ入口通路１７に連通するフィルタ入口側開口（フィルタ・イン）１９と、フィルタ出口通路１８に連通するフィルタ出口側開口（フィルタ・アウト）２０が設けられている。
【００２１】
オイルポンプでオイルパンから汲み上げられたオイルは、ロアブロック８の左側壁の前端寄りに設けられた連結口２１から、ロアブロック８内の上流オイル通路（図示せず）に送り込まれ、それが、フィルタ入口側開口１９からオイルフィルタブラケット１６のフィルタ入口通路１７を通ってオイルフィルタ９に流入する。そして、オイルフィルタ９で濾過されたオイルが、フィルタ出口通路１８を通って、フィルタ出口側開口２０から、オイルクーラ１０に至る後述のオイル供給通路３０に導かれる。
【００２２】
シリンダブロック６およびロアブロック８の左側壁１２，１４には、オイルフィルタ取付け座部１５からオイルクーラ取付け座部１３に至るオイル供給通路３０が設けられている。このオイル供給通路３０は、オイルフィルタブラケット１６のフィルタ出口通路１８に連通してロアブロック８内をシリンダブロック６との接合面に略平行にクランク軸方向に略直交するブロック幅方向に内側へ延びる第１通路部分３１と、この第１通路部分３１の内端側からシリンダブロック６との接合面に略直交する方向に立ち上がって、シリンダブロック６内に達し、シリンダブロック６の第１気筒のボア部１と第２気筒のボア部２の間を上方へ延びる第２通路部分３２と、この第２通路部分３２の上端側からシリンダブロック６との接合面に略平行に、シリンダブロック６内をブロック幅方向に外側へ延びる第３通路部分３３とからなるもので、第３通路部分３３の先端が、オイルクーラ取付け座部１３に開口して、クーラ入口側開口（クーラ・イン）３４を形成している。
【００２３】
クーラ入口側開口３４は、オイルクーラ取付け座部１３の内側下部で、第１気筒のボア部１と第２気筒のボア部２の間となるブロック後寄りに位置している。また、オイルクーラ取付け座部１３の内側には、第１気筒のボア部１と第２気筒のボア部２の間から離れたブロック前寄りの上部位置に、オイルクーラ１０を通って冷却されたオイルを、シリンダブロック６内の下流側オイル供給通路（図示せず）に戻すクーラ出口側開口（クーラ・アウト）３５が設けられている。これらクーラ入口側開口３４およびクーラ出口側開口３５は、オイルクーラ取付け座部１３と面一のボス部３６，３７に形成されたものである。
【００２４】
また、このエンジンのエンジンブロック１１には、左右側壁の各気筒のボア部１〜４の間に、エンジン本体の上部で動弁装置等の潤滑に使用された後のオイルを下方に落として、オイル溜まりであるオイルパンに戻すためのオイル落とし通路４０が、それぞれシリンダブロック６の上面から下向きに縦方向にストレートに設けられている。
【００２５】
そして、第１気筒のボア部１と第２気筒のボア部２の間のオイル落とし通路４０については、同じエリア上の下方に重なるようにオイルクーラ１０とオイルフィルタ９が取り付けられ、オイルフィルタ９からオイルクーラ１０に至るオイル供給通路３０が真下に重なるために、オイルクーラ取付け座部１３より上の通路部分を、略ストレートに下向きに延びる上部オイル落とし通路４１としている。
【００２６】
つまり、シリンダブロック６の左側壁１２の、上部オイル落とし通路４１の下方で上部オイル落とし通路４１に対し上部オイル落とし通路４１の軸線方向に略上下に重なる位置にオイルクーラ１０を取り付けるオイルクーラ取付け座部１３が設けられ、そのオイルクーラ取付け座部１３の下に並ぶ配置で、ロアブロック８の左側壁１４の、上部オイル落とし通路４１の下方で上部オイル落とし通路４１に対し上部オイル落とし通路４１の軸線方向に上下に重なる位置に、オイルフィルタ９を取り付けるオイルフィルタ取付け座部１５が設けられている。
【００２７】
そして、オイルクーラ取付け座部１３は、オイル出入用の通路部分の先端にクーラ入口側開口３４およびクーラ出口側開口３５を形成するボス部３６，３７と一体となって、内側に空間４２を形成し該空間４２がオイルクーラ１０を取り付けることにより閉塞されるよう、４つの締結用ボス部５０をもつないで枠状に形成されている。そして、該空間４２のクランク軸方向における前後方向の一側である後側の上部に上部オイル落とし通路４１が連通し、該空間４２のクランク軸方向における他側である前側の下部に、上部オイル落とし通路４１を通って落ちてきたオイルを更に下方へ落とす下部オイル落とし通路４３が連通している
【００２８】
下部オイル落とし通路４３は、上部が、上記空間４２の前記前後方向の他側である前側の下部に連通する位置から下方へ、ロアブロック８との接合面まで略ストレートに延びて、ロアブロック８のアッパブロック６との接合面に形成されたブロック軽量化のための開放溝４４のブロック前側部分に達し、開放溝４４を通路として利用してブロック後側部分から、その位置に近接するアッパブロック６とロアブロック８の締結のためのボルト締結座部４５の横に斜め下向きに形成された穴４６を介して、締結用のボルト穴４７に開口し、オイルパンへ向け下方へ開放されたものとなっている。
【００２９】
オイルフィルタ９からオイルクーラ１０に至るオイルの流れは、図２に矢印で示すとおりである。また、オイル落とし通路４０を流れるオイルの流れは図４に矢印で示す通りである。オイル落とし通路４０から流れ落ちるオイルは、オイルパンに至るまでに蛇行することから、気泡が減少し易く、オイルパン内に落ちる際に油面への衝突力が弱く、新たな気泡発生も抑制される。
【００３０】
なお、上記実施形態は、シリンダブロック（アッパブロック）とロアブロックからなるエンジンブロックを備えたブロック別体構造のエンジンの場合であるが、本発明はこれに限定されるものではなく、様々なエンジンに適用可能であることはいうまでもない。
【図面の簡単な説明】
【００３１】
【図１】本発明の実施形態に係るエンジンブロックのオイルクーラ及びオイルフィルタを取り付けた状態の側面図である。
【図２】本発明の実施形態に係るエンジンブロックのオイルクーラ及びオイルフィルタを取り付けた状態の図１のＡ−Ａ断面で示す断面図である。
【図３】本発明の実施形態に係るエンジンブロックの図１のＢ−Ｂ断面で示す断面図である。
【図４】本発明の実施形態に係るエンジンブロックの図２のＣ−Ｃ断面で示す断面図である。
【図５】本発明の実施形態に係るエンジンブロックのオイルクーラ及びオイルフィルタを取り外した状態の側面図である。
【図６】本発明の実施形態に係るロアブロックの平面図である。
【符号の説明】
【００３２】
１〜４  ボア部
６  シリンダブロック（アッパブロック）
７  ロアブロック
９  オイルフィルタ
１０  オイルクーラ
１１  エンジンブロック
１２  シリンダブロックの左側壁
１３  オイルクーラ取付け座部
１４  ロアブロックの左側壁
１５  オイルフィルタ取付け座部
３０  オイル供給通路
４０  オイル落とし通路
４１  上部オイル落とし通路
４２  空間
４３  下部オイル落とし通路
４４  開放溝
４５  ボルト締結座部
４６  穴
【図１】
2010031763.tif 000003
【図２】
2010031763.tif 000004
【図３】
2010031763.tif 000005
【図４】
2010031763.tif 000006
【図５】
2010031763.tif 000007
【図６】
2010031763.tif 000008